(57)【特許請求の範囲】
【請求項１】
躯体開口部に設置される建具の開口枠と、
前記開口枠を構成する縦枠を躯体に固着する固着手段と、
前記縦枠の外側に装着され、前記開口枠を前記躯体開口部に配置したとき、前記縦枠と前記躯体間の隙間を覆うアタッチメントと、を有し、
前記アタッチメントの内側に、縦枠の挿通穴から挿入された固着手段を挿通及び支持する案内穴を有する案内片が前記アタッチメントに一体に設けられ、
前記アタッチメントは、前記縦枠に設けられた２条の突条に係合する２条の突条と、前記躯体との当接面となる側壁面と、を有し、
前記案内片は、前記アタッチメントの２条の突条と前記側壁面との間に突設され、
前記アタッチメントが、前記縦枠と前記躯体間の隙間の幅に応じて、前記アタッチメントの２条の突条が設けられた部分と前記案内片が突設された部分の間で、その幅方向において分割可能であることを特徴とする建具。
【請求項２】
請求項１に記載された建具において、
前記案内片は、前記案内穴の周りに、前記縦枠から挿入された固着手段の先端部を前記案内穴に案内するテーパー部を有することを特徴とする建具。
【請求項３】
請求項１又は２に記載された建具において、
前記案内穴は長穴であることを特徴とする建具。
【発明の詳細な説明】
【技術分野】
【０００１】
本発明は、建物の躯体開口部に設ける建具に関し、とくに、開口枠を構成する縦枠と躯体間の装着部に特徴を有する建具に関する。
【背景技術】
【０００２】
躯体開口部に建具を設置する場合、躯体開口部に左右一対の縦枠と一対の上及び下枠で構成した開口枠を取り付け、その開口枠に開き戸又は引戸などが取り付けられる。開口枠を躯体に取り付ける取付構造としては、例えば縦枠の開口面側から躯体に向かって取付用のねじを挿入し、挿入したねじを下穴のない躯体に螺入して固定する取り付け構造が知られている（１例として特許文献１参照）。
ところで、左右縦枠と上下枠で構成する開口枠は、各開口枠の種別ごとに一定の寸法に形成されるが、躯体の開口部の寸法は施工条件などにより変わることがある。そのため、開口枠は躯体開口部に対して適度の隙間をもって設置できる寸法に設定される。
【０００３】
したがって、躯体開口部内に開口枠を設置するに当たり、躯体開口部に対して左右一方側の縦枠を基準にして配置すると、他方側の縦枠とそれに対向する躯体との距離（幅）は一方側のそれよりかなり長く（広く）なる。
そのため、縦枠を躯体にねじ止めするに当たり、他方側の縦枠を躯体に取り付けるために、縦枠を躯体間の広い隙間に合わせてとくに長くしたねじ（テクスねじ）が用いられている。
【０００４】
テクスねじを用いる場合、それを縦枠の穴（ねじ穴）を通して挿通したとき、ねじの先端部を所定の位置に安定した状態で維持するのは容易ではない。とくに下穴のない躯体に対してセルフタッピングでねじ止めする場合、正しい位置にねじ止めするのは位置決めに労力が掛かる。
そこで、従来から、縦枠にねじ用のガイド部材を取り付けて、縦枠のねじ穴から通したねじの先端部をガイド部材により案内して、躯体の所定の螺合位置に位置決めしている。
【０００５】
テクスねじを用いて縦枠を躯体に取り付ける１例として、図６は、特許文献に記載されたものではないが、従来の縦枠１０とガイド部材２０とを示した斜視図である。
縦枠１０は、ここでは、図示のように一対の側壁１０ａ、１０ｂと底壁１０ｃから成る断面溝形に形成されている。また、縦枠１０の開口側の側壁１０ａにはねじ挿入用の穴１０ｄが、例えば上下に二つ設けられている。ガイド部材２０は、材料は任意であるが、例えばプラスチックなどで構成された円環状の部材であり、縦枠１０の躯体側の側壁１０ｂに開放端側から切り欠いた切欠き１０ｅから縦枠１０内に収容される。その状態で、側壁１０ａ側から挿入したねじ（テクスねじ）５０Ａが挿通される。ガイド部材２０はこれにより穴１０ｄと切欠き１０ｅで保持される。
【０００６】
ガイド部材２０を通り抜けたねじ（テクスねじ）５０Ａは、その先端から躯体３０に螺入され、縦枠１０は躯体３０に固定される。
このように、従来の縦枠１０の躯体３０への取り付け手法では、ガイド部材２０を用いることで、ねじ５０Ａの長さに関係なく、縦枠１０を躯体３０に容易に取付固定することができる。
ただ、この取付手法では、必ずガイド部材２０を別途用意しなければならず、また、別途用意したガイド部材２０を縦枠１０に装着する作業も必要となる。そのためコスト上及び作業負担上の問題がある。
そこで、ガイド部材２０を省略してコストを低減することが望まれている。
【０００７】
一方、縦枠１０と躯体３０との間の隙間を覆うため、従来から開口枠に沿って上下左右にパネル（ここではアタッチメントという）を装着することが行われている。ここで、縦枠１０と躯体３０との間の隙間の幅は、開口枠の左右側で異なっている場合、左右縦枠に装着されるアタッチメントの左右幅（見付け幅）も左右で異なったものが用いられる。
アタッチメントは、通常アルミ合金などの金属又は合成樹脂で板状に成型されるが、従来は、アタッチメントの製造において、異なる幅のアタッチメントを成型するため、それぞれ異なる成形型が使用されている。そのため、アタッチメントの加工のためのコスト及び作業負担が大きく、その抑制が望まれている。
【先行技術文献】
【特許文献】
【０００８】
【特許文献１】特開平０９―２９１７５８号公報
【発明の概要】
【発明が解決しようとする課題】
【０００９】
本発明（第１の発明）は、前記従来の問題に鑑みてなされたものであって、その第１の発明の目的は、縦枠を躯体にねじで取り付ける際に、従来別途作成されたガイド部材及びガイド部材を縦枠に装着する作業をなくすことで、建具の躯体開口部への設置コストを低減することである。
第２の発明の目的は、前記アタッチメントをその見付け方向における任意の幅で分割可能にすることで、従来別々に成型していたアタッチメントを共通化してその成型コストを低減することである。
【課題を解決するための手段】
【００１０】
本発明は、躯体開口部に設置される建具の開口枠と、前記開口枠を構成する縦枠を躯体に固着する固着手段と、前記縦枠の外側に装着され、前記開口枠を前記躯体開口部に配置したとき、前記縦枠と前記躯体間の隙間を覆うアタッチメントと、を有し、前記アタッチメントの内側に、縦枠の挿通穴から挿入された固着手段を挿通及び支持する案内穴を有する案内片が前記アタッチメントに一体に設けられ、前記アタッチメントは、前記縦枠に設けられた２条の突条に係合する２条の突条と、前記躯体との当接面となる側壁面と、を有し、前記案内片は、前記アタッチメントの２条の突条と前記側壁面との間に突設され、前記アタッチメントが、前記縦枠と前記躯体間の隙間の幅に応じて、前記アタッチメントの２条の突条が設けられた部分と前記案内片が突設された部分の間で、その幅方向において分割可能であることを特徴とする建具である。
【発明の効果】
【００１１】
第１の発明によれば、縦枠を躯体にねじで取り付ける際に、従来別途作成されたガイド部材及びガイド部材を縦枠に装着する作業をなくすことで建具の躯体開口部への設置コストを低減することができる。
第２の発明によれば、前記アタッチメントをその見付け方向における任意の幅で分割可能にすることで、従来別々に成型していたアタッチメントを共通化してその成型コストを低減することができる。
【図面の簡単な説明】
【００１２】
【図１】本発明の建具の１実施形態である浴室用の折り戸全体を示す正面図である。
【図２】図１に示す浴室用の折り戸の平断面図である。
【図３】図２に示す右側縦枠、アタッチメント及びねじをそれぞれ拡大して示した分解拡大図である。
【図４】アタッチメントに設けた案内片により、縦枠から挿入されたねじを支持及び案内する状態を示す断面図である。
【図５】図４に示すアタッチメントの全体を内側からみた斜視図である。
【図６】従来の縦枠とガイド部材とを示した斜視図である。
【発明を実施するための形態】
【００１３】
次に、本発明の実施形態に係る建具の設置構造について説明する。
図１は、本発明の建具の１実施形態である浴室用の折り戸全体を示す正面図、図２は、図１に示す浴室用の折り戸１の平断面図、図３は、図２に示す右側縦枠、アタッチメント及び固着手段、ここではねじ（テクスねじ）５０Ａをそれぞれ拡大して示した分解拡大図である。
なお、図２中、下側は浴室側（内側という）、上側は脱衣室側（外側という）を示し、図１は脱衣室側から見た折り戸を示す。
折り戸１を収容する開口枠は、左右一対の縦枠１０及び上下枠（図示せず）を組み合わせて構成される開口枠に収容されており、開口枠は、躯体３０に固着具、ここではねじ５０Ａ、５０Ｂで取り付けられる。
【００１４】
図２において右側の縦枠１０は、図３の断面図で示すように、中空部１０（１）に続くフランジ部１０（２）及びフランジ部１０（２）の外側（図中上側）には、幅広側のアタッチメント４０（１）を取り付けるための楔型部分をその先端側に備えた２条の突条１０（３）が一体に設けられている。なお、左右の縦枠１０は互いに対称形であり、左側の縦枠１０も同じ構造である。
図３に示すように、左右の縦枠１０の開口側（図中左側）からそのねじ穴１０（４）にねじ５０Ａ、５０Ｂが挿通され、そのねじ５０Ａ、５０Ｂの先端側は左右の躯体３０に螺合される。なお、ねじ５０Ａは、既に述べたテクスねじであり、図２に示すように通常のねじ５０Ｂよりも遥かに長い。
【００１５】
アタッチメント４０（１）は、図３に示すように、その外側は、躯体３０の開口部に開口枠（建具開口枠）を配置したときに縦枠１０と躯体３０間の隙間を覆うパネルとして構成されている。一方、その内側には、一端部（図中左側、つまり開口側端部）に縦枠１０の楔型端部を備えた突条１０（３）に係合する２条の突条４０（１）ａが設けられている。また、この２条の突条４０（１）ａと図中右側端部の躯体３０との当接面となる側壁面４０（１）ｂとの間の適所に、内側方向に突設されたフランジ又は案内片４２ｂが設けられている。
【００１６】
図４は、アタッチメント４０（１）に設けた案内片４２ａ、４２ｂにより、縦枠１０の挿通穴から挿入されたねじ５０Ａを支持及び案内する状態を示す断面図であり、図４Ａと図４Ｂではそれぞれ異なる案内片４２ａ、４２ｂを示している。
即ち、図４Ａに示す案内片４２ａは、縦枠１０内側方向に延在する部分が平板状を成し、その内側方向先端部と基端部間の中間位置に貫通する案内穴（長穴）４４ａが設けられている。この案内穴４４ａは、縦枠１０を躯体３０に取り付ける際に、その取付用のねじ５０Ａを案内及び支持する。
また、縦枠１０の開口側から挿入され、案内穴４４ｂを貫通したねじ５０Ａの軸部分が案内穴４４ｂの縁部分に当接し、その縁部分がねじ５０Ａの支持及び案内を行う。したがって、ねじ５０Ａを押し込んだとき、ねじ５０Ａは安定した状態で先端部が直進して躯体３０の所定位置（取付位置）に当接する。その状態で、ねじ５０Ａを躯体３０にねじ込むことで縦枠１０は躯体３０に固定される。
【００１７】
図４Ｂに示す案内片４２ｂは、図示のようにその内側端部と基端部間の中間位置に、縦枠１０に対向する面が凹状となるテーパー部４６が形成されている。また、そのテーパー部４６の中央部には、図４Ａに示した案内穴４４ａと同様の長穴で構成された案内穴４４ｂが設けられている。案内穴４４ｂは、縦枠１０側からねじ５０Ａが押し込まれたとき、図４Ａの案内穴４４ａと同様にそのねじ５０Ａの案内及び支持を行う。
【００１８】
図４Ｂに示す案内片４２ｂのテーパー部４６は、縦枠１０の開口側からねじ５０Ａを挿入したとき、ねじ５０Ａの先端が案内穴４４ｂから外れてもテーパー部４６に当接すればその先端を案内穴４４ｂに案内する。したがって、この案内片４２ｂによれば、案内穴４４ｂを長穴に構成したことと相俟って、ねじ５０Ａを案内穴４４ｂに一層容易に挿通することができる。
案内穴４４ｂにねじ５０Ａを挿通した後は、ねじ５０Ａは縦枠１０のねじ穴１０（４）と案内穴４４ｂの２点で支えられるため、単に押し込むだけで、その先端部は安定した状態で躯体３０の所定位置に当接する。その状態で、ねじ５０Ａを躯体３０にねじ込むことで縦枠１０は躯体３０に固定される。
【００１９】
図５は、以上で説明したアタッチメント４０（１）の全体を内側からみた斜視図である。
図示のように、アタッチメント４０（１）は、図４Ｂに示す案内片４２ｂを有しており、また、案内穴４４ｂが上下２箇所設けられている。
【００２０】
以上、図２における右側のアタッチメント４０（１）について説明したが、図示のように左側の縦枠１０と躯体３０間の間隔は右側のそれよりも狭いため、縦枠１０を躯体３０に取り付けるためのねじ５０Ｂの長さもねじ５０Ａに比べて大幅に短く、また、左側のアタッチメント４０（２）の幅（見付け方向幅）はアタッチメント４０（１）のそれよりも狭く案内片は形成されていない。
【００２１】
ただ、この場合、左右のアタッチメント４０（１）、４０（２）を成型するために異なる成形型が必要となる。そのため既に指摘したように、アタッチメント４０（１）、４０（２）の成型コストが増大するという問題が生じる。
そこで、第２の発明の実施形態のアタッチメント４０（１）、４０（２）は、同じ成形型で成型したアタッチメントを納まりに応じてその幅を調整できるように構成した。
【００２２】
アタッチメントの幅の調整は、ここでは、アタッチメント４０（１）の２条の突条１０（３）が一体に設けられている部分と、案内片４２ａ、４２ｂを備えた部分の間で分割する。本実施形態では、突条１０（３）に隣接した部分で分割可能に構成するが、アタッチメント４０（１）の分割位置はこれに限定されず、図２の左側のアタッチメント４０（２）が必要とする幅に分割できればよい。
分割の手法としては、例えば必要な幅に合わせて切断して分割することで行う。分割の仕方は任意であるが、例えば、分割し易いように、アタッチメント４０（１）の見付け方向において所定の間隔で、その長手方向に延在する肉薄部（弱化部）を形成して、必要時にその部分で切断できるようにしてもよい。或いは、予め見付け方向の所定幅（つまり、実施形態では、図１の右側のアタッチメントの幅）のところで分割したアタッチメントを組み合わせておき、必要に応じてその組み合わせを解除して分割する構成でもよい。さらに単にカッターで切断してもよい。
このように、アタッチメント４０（１）を予め分割可能に形成しておくことで、見付け方向幅が異なるアタッチメントに対しても、同じ成形型を用いて製造することができ、設備コストを低減することができる。
【００２３】
以上、本発明の実施形態について説明したが、これによれば、縦枠と躯体間の隙間を覆うアタッチメントに、縦枠を躯体に取り付けるためのねじ（テクスねじ）を支持及び案内するガイド部材を一体に設けたため、従来の別体で構成した取付用のねじ用のガイド部材を不要にでき、部品を削減しコストを低減することができる。
また、左右縦枠形状が異なる納まりである場合においても、アタッチメントは共通とし、単に分割することでその見付け方向幅を調整できるようにした。つまり、共通のアタッチメントを分割することで、案内片を持たないアタッチメントも容易に形成することができようにした。そのため、アタッチメントの加工のための投資や、作業負荷を抑制することができる。
なお、以上の説明では、建具は、左右縦枠の一方側に案内片を備えたアタッチメントを、他方側に案内片を備えていないアタッチメントを装着するものとしたが、当然のことながら、躯体と左右縦枠との位置関係如何によっては、左右縦枠のいずれの側にも案内片を持つアタッチメントを用いる場合もあり得る。
【符号の説明】
【００２４】
１０・・・縦枠、２０・・・ガイド部材、３０・・・躯体、４０（１）、４０（２）・・・アタッチメント、４２ａ、４２ｂ・・・案内片、４４ａ、４４ｂ・・・案内穴、４６・・・テーパー部、５０Ａ、５０Ｂ・・・ねじ。
【図１】
0006468863.tif 000002
【図２】
0006468863.tif 000003
【図３】
0006468863.tif 000004
【図４】
0006468863.tif 000005
【図５】
0006468863.tif 000006
【図６】
0006468863.tif 000007